(57)【要約】【課題】ポペット弁の往復動により燃料噴射終り時期を制御するように構成された電磁制御燃料噴射装置において、該ポペット弁の往復運動に伴う慣性力、摩擦力等の該ポペット弁のバウンス抑制力を有効に利用して該ポペット弁のバウンス防止効果を向上するとともに、安全性及び取扱性を向上せしめたポペット弁を備えた電磁制御燃料噴射装置を提供する。【解決手段】ソレノイド装置によって往復駆動せしめられるポペット弁により、プランジャで加圧された高圧燃料が収容されるプランジャ室への燃料通路と排油系へのスピル通路との間を開閉して燃料噴射終り時期を制御するように構成された電磁制御燃料噴射装置において、前記ポペット弁は、閉塞された内部空間に、該ポペット弁の往復動に伴う慣性力によって該内部空間を移動して相互に接触可能にされた一定質量を有する複数個の質量体を収納してなることを特徴とする。【選択図】図１
2006266254.tif 000002
【特許請求の範囲】
【請求項１】
ソレノイド装置によって往復駆動せしめられるポペット弁により、プランジャで加圧された高圧燃料が収容されるプランジャ室への燃料通路と排油系へのスピル通路との間を開閉して燃料噴射始め及び燃料噴射終り時期を制御するように構成された電磁制御燃料噴射装置において、前記ポペット弁は、閉塞された内部空間に、該ポペット弁の往復動に伴う慣性力によって該内部空間を移動して相互に接触可能にされた一定質量を有する複数個の質量体を収納してなることを特徴とするポペット弁を備えた電磁制御燃料噴射装置。
【請求項２】
前記ポペット弁の内部空間に収納された複数個の質量体のポペット弁軸方向における可動範囲（Ｌｓ）を、ポペット弁ストローク（Ｌｐ）以下（Ｌｓ≦Ｌｐ）に設定したことを特徴とする請求項１記載のポペット弁を備えた電磁制御燃料噴射装置。
【請求項３】
前記ポペット弁の内部空間に、燃料あるいは潤滑油を含む液体と共に前記質量体を収納してなることを特徴とする請求項１〜２のいずれかの項に記載のポペット弁を備えた電磁制御燃料噴射装置。
【請求項４】
前記複数個の質量体は、金属球を含む球体からなることを特徴とする請求項１〜３のいずれかの項に記載のポペット弁を備えた電磁制御燃料噴射装置。
【請求項５】
前記複数個の質量体は、金属製針状体を含む針状体からなることを特徴とする請求項１〜３のいずれかの項に記載のポペット弁を備えた電磁制御燃料噴射装置。
【請求項６】
ソレノイド装置によって往復駆動せしめられるポペット弁により、プランジャで加圧された高圧燃料が収容されるプランジャ室への燃料通路と排油系へのスピル通路との間を開閉して燃料噴射終り時期を制御するように構成された電磁制御燃料噴射装置において、前記ポペット弁は、密閉された内部空間を封鎖するプラグに該内部空間と外部の油通路とを連通する小孔を設け、該ポペット弁の往復動によって前記内部空間と外部の油通路との間を燃料油が前記小孔を通って出入りするように構成されてなることを特徴とするポペット弁を備えた電磁制御燃料噴射装置。
【請求項７】
燃料油が前記小孔を通って出入りする前記内部空間に、前記ポペット弁の往復動に伴う慣性力によって該内部空間を移動して相互に接触可能にされた複数個の質量体を収納してなることを特徴とする請求項６記載のポペット弁を備えた電磁制御燃料噴射装置。
【請求項８】
燃料油が前記小孔を通って出入りする前記内部空間に収納された前記複数個の質量体のポペット弁軸方向における可動範囲（Ｌｓ）を、ポペット弁ストローク（Ｌｐ）以下（Ｌｓ≦Ｌｐ）に設定したことを特徴とする請求項７記載のポペット弁を備えた電磁制御燃料噴射装置。
【発明の詳細な説明】
【技術分野】
【０００１】
本発明は、ディーゼルエンジン用電磁式ユニットインジェクタ等に適用され、ソレノイド装置によって往復駆動せしめられるポペット弁により、プランジャで加圧された高圧燃料が収容されるプランジャ室への燃料通路と排油系へのスピル通路との間を開閉して燃料噴射始め及び燃料噴射終り時期を制御するように構成された、ポペット弁を備えた電磁制御燃料噴射装置に関する。
【背景技術】
【０００２】
ディーゼルエンジンに適用される電磁式ユニットインジェクタは、ソレノイド装置によって往復駆動せしめられるポペット弁により、プランジャで加圧された高圧燃料が収容されるプランジャ室への燃料通路と排油系へのスピル通路との間を開閉して燃料噴射始め及び燃料噴射終り時期を制御するように構成されているが、ソレノイド装置によって往復駆動せしめられるポペット弁が弁座とのシート部に着座して燃料噴射始めを、また前記ポペット弁がインジェクタ本体の着座部に着座して燃料噴射終りを制御する際に、該ポペット弁が前記シート部や着座部からバウンス（跳び上がり）して、燃料噴射終り及び噴射タイミングが不整となって、燃料噴射量のばらつきや不整噴射発生の要因となるという、問題点を抱えている。
【０００３】
前記のような開閉弁のバウンスを防止する手段の一つとして、特許文献１（特開平５−２２３０３１号公報）の技術が提供されている。
かかる技術においては、電磁式燃料噴射弁において、針弁の内部に形成され閉塞された内部空間に、該針弁の往復動に伴う慣性力によって該内部空間を移動して、該内部空間の上部にねじ込まれたプラグの下面あるいは内部空間下壁面に衝突する磁性粉体を収納し、該磁性粉体の前記移動により、針弁のシート部への着座時におけるバウンスの発生を防止し、電磁式燃料噴射弁の耐久性を向上している。
【０００４】
【特許文献１】特開平５−２２３０３１号公報
【発明の開示】
【発明が解決しようとする課題】
【０００５】
しかしながら、特許文献１（特開平５−２２３０３１号公報）の技術にあっては、弁体（針弁）の閉塞された内部空間に微粉からなる磁性粉体を収納して、該磁性粉体を慣性力によって該内部空間を移動させ、該内部空間の上部にねじ込まれたプラグの下面あるいは内部空間下壁面に衝突させるように構成されているため、該磁性粉体の内部空間への封入時に該磁性粉体が内部空間外に洩れ、あるいは電磁式燃料噴射弁の作動時に前記プラグのねじの隙間から磁性粉体が内部空間外に洩れて燃料中に混入する恐れがあり、安全性及び取扱性に問題がある。
【０００６】
また、かかる従来技術にあっては、磁性粉体を慣性力によって該内部空間を移動させ、該内部空間上部のプラグの下面あるいは内部空間下壁面に衝突させることによってシート部への着座時におけるバウンスの発生を防止しているが、微粉からなる磁性粉体であるため、磁性粉体が一体となって内部空間を移動し該磁性粉体同士の接触摩擦によるバウンスの抑制効果は得られ難い。
等の問題点を有している。
【０００７】
本発明はかかる従来技術の課題に鑑み、ポペット弁の往復動により燃料噴射終り時期を制御するように構成された電磁制御燃料噴射装置において、該ポペット弁の往復運動に伴う慣性力、摩擦力等の該ポペット弁のバウンス抑制力を有効に利用して該ポペット弁のバウンス防止効果を向上するとともに、安全性及び取扱性を向上せしめたポペット弁を備えた電磁制御燃料噴射装置を提供することを目的とする。
【課題を解決するための手段】
【０００８】
本発明はかかる目的を達成するもので、ソレノイド装置によって往復駆動せしめられるポペット弁により、プランジャで加圧された高圧燃料が収容されるプランジャ室への燃料通路と排油系へのスピル通路との間を開閉して燃料噴射終り時期を制御するように構成された電磁制御燃料噴射装置において、前記ポペット弁は、閉塞された内部空間に、該ポペット弁の往復動に伴う慣性力によって該内部空間を移動して相互に接触可能にされた一定質量を有する複数個の質量体を収納してなることを特徴とする（請求項１）。
かかる発明において、好ましくは前記ポペット弁の内部空間に、燃料あるいは潤滑油を含む液体と共に前記質量体を収納してなる（請求項３）。
また、かかる発明において、好ましくは、前記複数個の質量体は、金属球を含む球体により構成される（請求項４）。
【０００９】
かかる発明によれば、ソレノイド装置によって往復駆動せしめられるポペット弁の内部に形成された閉塞された内部空間に、好ましくは鋼球等の球体からなる複数個の質量体を収納したので、前記ポペット弁が弁座とのシート部に着座しバウンスしようとするとき、また前記ポペット弁がインジェクタ本体の着座部に着座してバウンスしようとするとき、前記複数個の質量体の質量によってポペット弁の運動方向と逆方向の慣性力が作用して、該内部空間の底面または上面を介して該ポペット弁のバウンス力（反撥力）を打ち消す。
また、前記複数個の質量体同士の接触及び該質量体と内部空間の内壁面との接触による摩擦抵抗によっても、前記ポペット弁のバウンス力（反撥力）を打ち消すが、前記ポペット弁の内部空間に燃料、潤滑油等の液体を同時に封入することで、さらに摩擦抵抗を大きくし、バウンスを調整できる。
【００１０】
従って、かかる発明によれば、前記ポペット弁が弁座とのシート部に着座し、または前記ポペット弁がインジェクタ本体の着座部に着座してバウンスしようとするとき、前記複数個の質量体によるポペット弁の運動方向と逆方向の慣性力及び、複数個の質量体同士の接触及び該質量体と内部空間の内壁面との接触による摩擦抵抗との相乗作用によって前記ポペット弁のバウンス力（反撥力）を打ち消すことができ、前記特許文献１（特開平５−２２３０３１号公報）のような、磁性粉体の慣性力のみによるバウンス抑制手段よりもバウンス抑制効果が大きくなる。
これにより、燃料噴射終り及び噴射タイミングの不整及びこれらに伴う燃料噴射量のばらつきや不整噴射の発生を、より確実に防止できる。
また、ポペット弁の内部空間に収納される複数個の質量体は、球体等の一定質量を有する質量体であるので、該内部空間への組み込み作業が簡単であり、かつ組み込み時及び運転時に内部空間から外部の燃料油中に混入する恐れはなく、安全性及び取扱性も良好となる。
【００１１】
また、かかる発明において、好ましくは、前記ポペット弁の内部空間に収納された前記複数個の質量体のポペット弁軸方向における可動範囲（Ｌｓ）を、ポペット弁ストローク（Ｌｐ）以下（Ｌｓ≦Ｌｐ）に設定する（請求項２）。
このように構成すれば、ポペット弁のストロークによって、該ポペット弁の内部空間に収納された複数個の質量体が必ず１回以上、好ましくは複数回ポペット弁の内部で衝突するので、前記複数個の質量体の質量によって、確実にポペット弁の運動方向と逆方向の慣性力が作用して、前記内部空間の底面または上面を介してポペット弁のバウンス力を打ち消すことが可能となる。
【００１２】
また、かかる発明において、好ましくは、前記複数個の質量体は、金属製針状体を含む針状体からなる（請求項５）。
このように構成すれば、内部空間に収納された複数個の質量体が、一定長さを有する針状体であるので、ポペット弁の軸方向における針状体同士の接触面積が大きくなって、針状体同士の接触による摩擦抵抗に伴うバウンス力の抑制効果が大きくなる。
【００１３】
また本発明は、前記電磁制御燃料噴射装置において、前記ポペット弁は、密閉された内部空間を封鎖するプラグに該内部空間と外部の油通路とを連通する小孔を設け、該ポペット弁の往復動によって前記内部空間と外部の油通路との間を燃料油が前記小孔を通って出入りするように構成されてなることを特徴とする（請求項６）。
かかる発明によれば、ポペット弁の往復動に従い該ポペット弁内部の密閉された内部空間と外部の油通路とを連通する小孔を燃料油が出入りすることにより、ダッシュポットの機能をそなえるように構成したので、ポペット弁のシート部への着座後のバウンス時に、かかるダッシュポット機能に伴うダンピング作用によってポペット弁のバウンス力を抑制できる。
【００１４】
また前記のようなダッシュポット機能によりバウンス力を抑制する手段と、前記質量体の慣性力によりバウンス力を抑制する手段とを組み合わせて、ダッシュポット機能をそなえた前記内部空間に、ポペット弁の往復動に伴う慣性力によって該内部空間を移動して相互に接触可能にされた複数個の質量体を収納するように構成すれば（請求項７）、前記ダッシュポット機能に伴うバウンス力ダンピング作用と前記複数個の質量体の慣性力によるバウンス力抑制作用との相乗作用によって、バウンス力の抑制効果がさらに大きくなる。
【００１５】
また、かかる発明において、好ましくは、燃料油が前記小孔を通って出入りする前記内部空間に収納された前記複数個の質量体のポペット弁軸方向における可動範囲（Ｌｓ）を、ポペット弁ストローク（Ｌｐ）以下（Ｌｓ≦Ｌｐ）に設定する（請求項８）。
このように構成すれば、ポペット弁のストロークによって、燃料油が前記小孔を通って出入りする該ポペット弁の内部空間に収納された複数個の質量体が必ず１回以上、好ましくは複数回ポペット弁の内部で衝突する。
これにより、前記複数個の質量体の質量によって、確実にポペット弁の運動方向と逆方向の慣性力が作用して、前記内部空間の底面または上面を介してポペット弁のバウンス力を打ち消し、さらに前記質量体とポペット弁との相対速度に比例した燃料の粘性に伴う減衰効果も相乗されて、バウンス力の抑制効果がさらに大きくなる。
【発明の効果】
【００１６】
本発明によれば、複数個の質量体によるポペット弁の運動方向と逆方向の慣性力、並びに、複数個の質量体同士の接触及び該質量体と内部空間の内壁面との接触による摩擦抵抗との相乗作用によってポペット弁のバウンス力を打ち消すことができ、従来技術のような、磁性粉体の慣性力のみによるバウンス抑制手段よりもバウンス抑制効果が大きくなり、より確実に燃料噴射終り及び噴射タイミングの不整の発生及びこれに伴う燃料噴射量のばらつきや不整噴射の発生を防止できる。
【００１７】
また、ポペット弁の内部空間に収納される複数個の質量体は、球体等の一定質量を有する質量体であるので、該内部空間への組み込みが簡単にでき、かつ組み込み時及び運転時に内部空間から外部の燃料油中に混入する恐れはなく、安全性及び取扱性も良好となる。
【００１８】
さらに、本発明によれば、ポペット弁の往復動に従い前記内部空間と外部の油通路とを連通する小孔を燃料油が出入りすることによりダッシュポットの機能をそなえるように構成したので、ポペット弁のシート部への着座後のバウンス時に、かかるダッシュポット機能に伴うダンピング作用によってポペット弁のバウンス力を抑制できる。
【発明を実施するための最良の形態】
【００１９】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２０】
図７は本発明が適用されるディーゼルエンジン用電磁式ユニットインジェクタの縦断面図である。
図７において、５０は電磁式ユニットインジェクタで、次のように構成されている。
５１はインジェクタ本体、７は該インジェクタ本体５１内に往復動自在に設けられたプランジャ、５６及び５５は該プランジャ７を往復動せしめるタペット及びタペットスプリング、８は該プランジャ７で加圧された燃料が溜められるプランジャ室、９は燃料通路、５２は前記プランジャ室８内の高圧燃料を図示しないエンジンの燃焼室内に噴射する噴孔５２ａを備えた燃料噴射ノズル、５３は該燃料噴射ノズル５２内に往復動自在に設けられた針弁、５４は該針弁５３の開、閉弁を司る針弁ばねである。
【００２１】
１００は電磁開閉弁装置で、次のように構成されている。
１はポペット弁、２は内部に該ポペット弁１が往復動自在に嵌合された弁座、５ａはポペット弁ばね、２ｂは前記インジェクタ本体５１内の燃料通路９に連通される燃料通路、３はスピル通路である。
６は電磁コイル６ａを備えたソレノイド装置、５は前記ポペット弁１の上端に固定されて前記電磁コイル６ａに吸引あるいは離間されるアーマチュアである。
【００２２】
かかる電磁式ユニットインジェクタ５０を備えたディーゼルエンジンの運転時において、
エンジンの燃料カム（図示省略）により作動せしめられる前記タペット５６及びタペットスプリング５５を介して往復駆動される前記プランジャ７によって高圧に加圧された燃料は、プランジャ室８内に溜められる。
そして、前記ソレノイド装置６の励磁によって前記電磁開閉弁装置１００のポペット弁１が固定されたアーマチュア５が該ソレノイド装置６の電磁コイル６ａに吸引されると該ポペット弁１と弁座２との間のシート部が閉じて、前記プランジャ室８から前記電磁開閉弁装置１００内の燃料通路２ｂ、インジェクタ本体５１内の燃料通路９、燃料溜め５２ｂに至る通路内の燃料圧力が上昇する。
該燃料圧力が前記針弁ばね５４の開弁圧力を超えると、針弁５３が開弁して燃料溜め５２ｂ内の高圧燃料が噴孔５２ａから図示しない燃焼室内に噴射される。
【００２３】
次いで、前記ソレノイド装置６が非励磁となると、前記アーマチュア５がポペット弁ばね５ａの弾力によって下動し、前記ポペット弁１と弁座２とのシート部にはシート部通路が形成され、プランジャ室８内の燃料は、燃料通路９及び２ｂからシート部通路を通ってスピル通路３に排出される。
本発明はかかる電磁式ユニットインジェクタ５０等の電磁制御燃料噴射装置における、電磁開閉弁装置１００の改良に係るものである。
【実施例１】
【００２４】
図１は本発明の第１実施例に係るディーゼルエンジン用電磁式ユニットインジェクタにおけるポペット弁を備えた電磁開閉弁装置の要部断面図である。
図１において、６はソレノイド装置、６ａは該ソレノイド装置の電磁コイル、１は該ソレノイド装置６により往復駆動せしめられるポペット弁、５ａはポペット弁ばね、２は内部に該ポペット弁１が往復動自在に嵌合された弁座で、該ポペット弁１との間にシート部４が形成されている。２ａは前記燃料通路２ｂに連通される燃料溜め、３は弁座２に形成されたスピル通路である。
５は前記ポペット弁１の上端部に固定され前記電磁コイル６ａに吸引あるいは離間されるアーマチュアである。
【００２５】
１ａは前記ポペット弁１の内部に軸心１ｂに沿って形成された内部空間で、該内部空間１ａは上部側を前記アーマチュア５の取付けボルト１１によって塞がれ、下部側をプラグ１２によって塞がれて、実質的に閉鎖空間となっている。
１０は前記内部空間１ａに収納された複数個の球体で、鋼球、ゴム球、プラスチック球等からなる一定質量を有する球体である。該球体１０は、前記内部空間１ａに、前記ポペット弁１の往復動によって該内部空間１ａ内を移動可能な程度に適当な間隔を存し、かつポペット弁１の往復動によって相互に接触可能に収納されている。
【００２６】
かかる第１実施例において、前記ソレノイド装置６によって往復駆動せしめられるポペット弁１の内部に形成された閉塞空間である内部空間１ａに、鋼球等からなる複数個の球体１０を収納したので、燃料噴射終り時に前記ソレノイド装置６が励磁されて前記アーマチュア５を介して前記ポペット弁１が弁座２とのシート部４に着座し、該シート部４からバウンスしようとするとき、前記内部空間１ａ内の複数個の球体１０には、これらの質量によってポペット弁１の運動方向と逆方向の慣性力が発生する。
【００２７】
そして、この慣性力によって前記球体１０が該内部空間１ａ内をポペット弁１の運動方向と逆方向に移動して、前記取付けボルト１１の内部空間１ａに臨む下面（あるいは前記プラグ１２の内部空間１ａに臨む上面）を介してポペット弁１を押し、該ポペット弁のバウンス力（反撥力）を打ち消す。
この際において、ポペット弁１のバウンス時に前記複数個の球体１０同士の接触及び該球体１０と内部空間１ａの内壁面との接触による摩擦抵抗によっても、前記ポペット弁１のバウンス力（反撥力）を打ち消すことができる。
【００２８】
図３は、かかる第１実施例におけるポペット弁ストロークと前記球体１０の可動範囲との関係を示す説明図（図１対応図）である。
図３に示すように、かかる第１実施例において、前記複数個の球体１０のポペット弁１の軸方向における可動範囲Ｌｓを、ポペット弁ストロークＬｐ以下（Ｌｓ≦Ｌｐ）に設定するのが好ましい。
【００２９】
このように構成すれば、ポペット弁１のストロークによって、前記内部空間１ａに収納された複数個の球体１０が必ず１回以上、好ましくは複数回ポペット弁１の内部で衝突するので、前記複数個の球体１０の質量によって、確実にポペット弁１の運動方向と逆方向の慣性力が作用して、前記内部空間１ａの底面または上面を介してポペット弁１のバウンス力を打ち消すことが可能となる。
尚、図３において、図１と同一の部材は同一の符号で示す。
【００３０】
以上より、かかる第１実施例によれば、前記ポペット弁１が弁座２とのシート部４に着座しバウンスしようとするとき、前記複数個の球体１０によるポペット弁１の運動方向と逆方向の慣性力及び、該複数個の球体１０同士の接触及び該球体１０と内部空間１ａの内壁面との接触による摩擦抵抗との相乗作用によって前記ポペット弁１のバウンス力（反撥力）を打ち消すことができ、前記従来の磁性粉体の慣性力のみによるバウンス抑制手段よりもバウンス抑制効果が格段に大きくなる。
これにより、ポペット弁１のバウンスにより発生する、燃料噴射終り及び噴射タイミングに不整の発生及びこれらに伴う燃料噴射量のばらつきや不整噴射の発生を、確実に防止できる。
【００３１】
また、ポペット弁１の内部空間１ａに収納される複数個の球体１０は、一定質量を有する質量体であるので、該内部空間１ａへの組み込み作業が簡単にでき、かつ組み込み時及び運転時に内部空間１ａから外部の燃料油中に混入する恐れはなく、安全性及び取扱性も良好となる。
また、かかる第１実施例において、前記ポペット弁１の内部空間１ａに、燃料、潤滑油等の液体と共に前記球体１０を封入することもできる。
このように構成すれば、前記内部空間１ａに、前記球体１０とともに燃料、潤滑油等の液体を同時に封入することで、さらに摩擦抵抗を大きくすることができ、バウンスの抑制効果が大きくなる。
【実施例２】
【００３２】
図２は本発明の第２実施例を示す図１対応図である。
かかる第２実施例においては、前記ポペット弁１の内部空間１ａに、前記第１実施例における球体１０に代えて複数個の針状体１５を収納している。該針状体１５は、鋼線、ゴム棒、プラスチック棒等の針状あるいは棒状に形成されて、前記ポペット弁１の軸線１ｂの方向に向けて、ポペット弁１の往復動に従って該内部空間１ａ内を移動可能にかつ相互の外周面が接触可能に複数個収納されている。
その他の構成は図１の第１実施例と同様であり、これと同一の部材は同一の符号で示す。
かかる第２実施例によれば、前記ポペット弁１の内部空間１ａに収納された複数個の針状体１５が、一定長さを有する針状あるいは棒状に形成されているので、ポペット弁１の軸線１ｂ方向における針状体１５同士の接触面積が大きくなって、該針状体１５同士の接触による摩擦抵抗に伴うバウンス力の抑制効果が大きくなる。
その他の構成は図１に示される第１実施例と同様であり、これと同一の部材は同一の符号で示す。
【実施例３】
【００３３】
図４は本発明の第３実施例を示す図１対応図、図５はかかる第３実施例におけるポペット弁ストロークと前記球体１０の可動範囲との関係を示す説明図（図４対応図）、図６は図４及び図５におけるＺ部拡大図である。
かかる第３実施例においては、前記第１実施例と同様に、ポペット弁１の内部空間１ａに複数個の球体１０を、該ポペット弁１の往復動によって該内部空間１ａ内を移動可能な程度に適当な間隔を存し、かつポペット弁１の往復動によって相互に接触可能に収納するとともに、密閉された前記内部空間１ａを封鎖するプラグ１２に、該内部空間１ａと外部の油通路つまり該ポペット弁１の周りの油通路とを連通する小孔１３を設けている。
その他の構成は図１に示す第１実施例と同様であり、これと同一の部材は同一の符号で示す。
【００３４】
かかる第３実施例においては、ポペット弁１の往復動に従い該ポペット弁１内部の密閉された内部空間１ａと外部の油通路とを連通する小孔１３を燃料油が出入りすることによるダッシュポットの機能をそなえているので、ポペット弁１のシート部４への着座後のバウンス時に、かかるダッシュポット機能に伴うダンピング作用によってポペット弁１のバウンス力を抑制する。
また、ポペット弁１の内部空間１ａに収納された複数個の球体１０は、前記第１実施例と同様な慣性力によるバウンス力の抑制作用を行なう。
【００３５】
また、図５に示すように、かかる第３実施例においては、燃料油が前記小孔１３を通って出入りする前記内部空間１ａに収納された前記複数個の球体１０のポペット弁１の軸方向における可動範囲Ｌｓを、ポペット弁ストロークＬｐ以下（Ｌｓ≦Ｌｐ）に設定するのが好ましい。
【００３６】
このように構成すれば、ポペット弁１のストロークによって、燃料油が前記小孔１３を通って出入りする前記内部空間１ａに収納された複数個の球体１０が必ず１回以上、好ましくは複数回ポペット弁１の内部で衝突する。
これにより、前記複数個の球体１０の質量によって、確実にポペット弁１の運動方向と逆方向の慣性力が作用して、前記内部空間１ａの底面または上面を介してポペット弁１のバウンス力を打ち消すとともに、前記球体１０とポペット弁１との相対速度に比例した燃料の粘性に伴う減衰効果も相乗されて、前記バウンス力の抑制効果がさらに大きくなる。
尚、図５において、図４と同一の部材は同一の符号で示す。
【００３７】
以上より、かかる第３実施例によれば、ポペット弁１の内部空間１ａと外部の油通路とを連通する小孔１３を備えてダッシュポットの機能を有するバウンス力の抑制手段と、前記第１実施例と同様な球体１０の慣性力によるバウンス力の抑制手段とを組み合わせることによって、前記ダッシュポット機能に伴うバウンス力ダンピング作用と前記複数個の質量体の慣性力によるバウンス力抑制作用との相乗作用によって、バウンス力の抑制効果がさらに大きくなる。
尚、前記第１実施例の球体１０に代えて、前記第２実施例の針状体１５を内部空間１ａに収納してもよい。
また、前記内部空間１ａに球体１０あるいは針状体１５を収納さずに、前記小孔１３によるダッシュポット機能のみでバウンス力を抑制することも可能である。
【産業上の利用可能性】
【００３８】
本発明によれば、ポペット弁の往復動により燃料噴射終り時期を制御するように構成された電磁制御燃料噴射装置において、該ポペット弁の往復運動に伴う慣性力、摩擦力等の該ポペット弁のバウンス抑制力を有効に利用することにより、該ポペット弁のバウンス防止効果を向上できるとともに、安全性及び取扱性が向上せしめられたポペット弁を備えた電磁制御燃料噴射装置を提供できる。
【図面の簡単な説明】
【００３９】
【図１】本発明の第１実施例に係るディーゼルエンジン用電磁式ユニットインジェクタにおけるポペット弁を備えた電磁開閉弁装置の要部断面図である。
【図２】本発明の第２実施例を示す図１対応図である。
【図３】前記第１実施例におけるポペット弁ストロークと前記球体の可動範囲との関係を示す説明図（図１対応図）である。
【図４】本発明の第３実施例を示す図１対応図である。
【図５】前記第３実施例におけるポペット弁ストロークと前記球体の可動範囲との関係を示す説明図（図４対応図）である。
【図６】前記第３実施例における図４、図５のＺ部拡大図である。
【図７】本発明が適用されるディーゼルエンジン用電磁式ユニットインジェクタの縦断面図である。
【符号の説明】
【００４０】
１      ポペット弁
１ａ    内部空間
２      弁座
２ｂ    燃料通路
３      スピル通路
５      アーマチュア
６      ソレノイド装置
６ａ    電磁コイル
７      プランジャ
８      プランジャ室
１０    球体
１１    取付けボルト
１２    プラグ
１３    小孔
１５    針状体
５０    電磁式ユニットインジェクタ
１００  電磁開閉弁装置
【図１】
2006266254.tif 000003
【図２】
2006266254.tif 000004
【図３】
2006266254.tif 000005
【図４】
2006266254.tif 000006
【図５】
2006266254.tif 000007
【図６】
2006266254.tif 000008
【図７】
2006266254.tif 000009